(57)【要約】【課題】自由度の高い発光を実現するための制御を簡易にする技術を提供する。【解決手段】受信部３１０は、発光すべき第１色が示される第１色信号を第１無線装置から受信する。発光部３１８は、受信部３１０において受信した第１色信号によって示される第１色で発光する。受信部３１０は、第１無線装置とは異なった第２無線装置から、発光すべき第２色が示される第２色信号も受信する。発光部３１８は、受信部３１０において受信した第２色信号によって示される第２色と、第１色とを合成した色で発光する。【選択図】図３
2020035529.tif 000002
【特許請求の範囲】
【請求項１】
発光すべき第１色が示される第１色信号を第１無線装置から受信する受信部と、
前記受信部において受信した第１色信号によって示される第１色で発光する発光部とを備え、
前記受信部は、前記第１無線装置とは異なった第２無線装置から、発光すべき第２色が示される第２色信号も受信し、
前記発光部は、前記受信部において受信した第２色信号によって示される第２色と、第１色とを合成した色で発光することを特徴とする発光装置。
【請求項２】
前記受信部において受信した第１色信号の受信強度と、前記受信部において受信した第２色信号の受信強度を測定する測定部をさらに備え、
前記発光部は、前記測定した第１色信号の受信強度の減衰の程度をもとに第１色の発光輝度を調節するとともに、前記測定した第２色信号の受信強度の減衰の程度をもとに第２色の発光輝度を調節し、調節した発光輝度の第１色と、調節した発光輝度の第２色とを合成した色で発光することを特徴とする請求項１に記載の発光装置。
【請求項３】
前記発光部は、前記測定した第１色信号の受信強度の減衰の程度が大きくなると、第１色の発光輝度を小さくし、前記測定した第２色信号の受信強度の減衰の程度が大きくなると、第２色の発光輝度を小さくすることを特徴とする請求項２に記載の発光装置。
【請求項４】
前記第１無線装置の送信出力を変化させることにより前記受信部において受信する第１色信号の受信強度を変化させ、
前記第２無線装置の送信出力を変化させることにより前記受信部において受信する第２色信号の受信強度を変化させることで合成した色を調整することを特徴とする請求項２または３に記載の発光装置。
【請求項５】
発光すべき第１色が示される第１色信号を送信するとともに、発光すべき第２色が示される第２色信号を送信する制御装置と、
前記制御装置から受信した第１色信号をブロードキャスト送信する第１無線装置と、
前記制御装置から受信した第２色信号をブロードキャスト送信する第２無線装置と、
前記第１無線装置からの第１色信号を受信するとともに、前記第２無線装置からの第２色信号を受信する発光装置とを備え、
前記発光装置は、受信した第１色信号によって示される第１色と、受信した第２色信号によって示される第２色とを合成した色で発光することを特徴とする発光システム。
【発明の詳細な説明】
【技術分野】
【０００１】
本発明は、通信技術に関し、特に通信により発光する発光装置、発光システムに関する。
【背景技術】
【０００２】
多数のペンライトの発光を同時にかつ多様に無線通信で外部制御するために、発光装置毎に識別子が付与されたり、発光装置毎の位置情報が管理されたりする。さらに、無線通信における電波を有効に利用するために、電波の指向性を高めた空間分割により各発光装置がきめ細かく制御される。このような状況において、発光装置の数が多くなると表現の自由度は高くなるが、外部制御が複雑になる。処理の簡素化を図るために、発光装置に内蔵された記憶部に発光や発色のパターンを複数記憶させ、使用するパターンの選択、発光・発色のタイミングのみが無線通信で指示される（例えば、特許文献１参照）。
【先行技術文献】
【特許文献】
【０００３】
【特許文献１】特開２０１４−２１２０２１号公報
【発明の概要】
【発明が解決しようとする課題】
【０００４】
無線通信を使用してパターンを選択したり、タイミングを制御したりすると、周囲と同期してランダムな色に発光させることが可能になる。しかしながら、このような制御を使用すると、意図した色で発光させるような自由度の高い発光は実現できない。
【０００５】
本発明はこうした状況に鑑みてなされたものであり、その目的は、自由度の高い発光を実現するための制御を簡易にする技術を提供することである。
【課題を解決するための手段】
【０００６】
上記課題を解決するために、本発明のある態様の発光装置は、発光すべき第１色が示される第１色信号を第１無線装置から受信する受信部と、受信部において受信した第１色信号によって示される第１色で発光する発光部とを備える。受信部は、第１無線装置とは異なった第２無線装置から、発光すべき第２色が示される第２色信号も受信し、発光部は、受信部において受信した第２色信号によって示される第２色と、第１色とを合成した色で発光する。
【０００７】
本発明の別の態様は、発光システムである。この発光システムは、発光すべき第１色が示される第１色信号を送信するとともに、発光すべき第２色が示される第２色信号を送信する制御装置と、制御装置から受信した第１色信号をブロードキャスト送信する第１無線装置と、制御装置から受信した第２色信号をブロードキャスト送信する第２無線装置と、第１無線装置からの第１色信号を受信するとともに、第２無線装置からの第２色信号を受信する発光装置とを備える。発光装置は、受信した第１色信号によって示される第１色と、受信した第２色信号によって示される第２色とを合成した色で発光する。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、自由度の高い発光を実現するための制御を簡易にできる。
【図面の簡単な説明】
【００１０】
【図１】実施例に係る発光システムの構成を示す図である。
【図２】図１の発光システムの別の構成を示す図である。
【図３】図２の発光装置の構成を示す図である。
【図４】図４（ａ）−（ｅ）は、図３の発光装置において受信される信号のフォーマットを示す図である。
【図５】図３の記憶部に記憶される受信情報リストのデータ構造を示す図である。
【図６】図３の発光部の構成を示す図である。
【図７】図１の無線装置によるブロードキャスト送信手順を示すフローチャートである。
【図８】図３の発光装置による発光手順を示すフローチャートである。
【図９】図３の発光装置による受信情報リストの処理手順を示すフローチャートである。
【図１０】図３の発光装置による算出手順を示すフローチャートである。
【発明を実施するための形態】
【００１１】
本発明を具体的に説明する前に、まず概要を述べる。本発明の実施例は、コンサートなどのイベントにおいて観客によって把持されるペンライト等の発光装置が含まれる発光システムに関する。発光システムは、制御装置からの指示を無線通信により複数の発光装置に伝え、複数の発光装置を発光させてイベント会場を演出する。つまり、観客が把持した多数の発光装置の発光および発色を演出者が外部から制御して、イベント会場全体の演出がなされる。例えば、コンサートの内容（曲調など）あるいは状況（出演者の動きなど）にリンクするように発光・発色が制御される。その際、各発光装置の発光および発色の自由度が高いほど演出者のイメージを具現化しやすくなる。このような制御は、無線通信によりなされるので、発光装置を把持した観客が移動しても、それに追従して演出を継続できる。
【００１２】
複数の発光装置による照明演出を柔軟に変更するために、制御装置が、全ての発光装置のそれぞれに対して個別に指示を送信すればよい。しかしながら、制御装置は、全ての発光装置を個別に制御すると、多様な照明演出を実現するためには複雑な制御が必要になる。特に、多くの人が集まるイベント会場において、移動する特定の(人)物の周辺を目立たせようとする場合、複雑な制御になってしまう。このような制御を簡易にするために、背景技術のごとく、発光装置に信号を送信する際にブロードキャスト送信が使用される。これにより、各発光装置をランダムな色に点灯する演出が可能になる。しかしながら、ランダムでないある程度意図的な演出は困難である。そのため、意図的な演出を可能とする自由度の高い発光を実現するための制御を簡易にすることが目的とされる。
【００１３】
本実施例に係る発光システムは、制御装置、複数の無線装置（中継装置）、複数の発光装置を含む。制御装置は、複数の無線装置と遠距離無線通信システムを介して接続され、各無線装置は、１つ以上の発光装置と近距離無線通信システムを介して接続される。制御装置は、演出者によって操作されることによって、１つの無線装置（以下、「第１無線装置」という）を発光させる色（以下、「第１色」という）に関する情報が含まれた信号（以下、「第１色信号」という）を生成する。制御装置は、第１無線装置に第１色信号をユニキャストにより送信する。このような処理と同様に、制御装置は、別の１つの無線装置（以下、「第２無線装置」という）を発光させる色（以下、「第２色」という）に関する情報が含まれた信号（以下、「第２色信号」という）を生成する。制御装置は、第２無線装置に第２色信号をユニキャストにより送信する。さらに、制御装置は、第３無線装置に対して第３色信号をユニキャストにより送信し、第４無線装置に対して第４色信号をユニキャストにより送信する。
【００１４】
第１無線装置は、第１色信号を受信すると、第１色で発光する。また、第１無線装置は、第１色信号をブロードキャスト送信する。第２無線装置は、第２色で発光するとともに、第２色信号をブロードキャスト送信し、第３無線装置は、第３色で発光するとともに、第３色信号をブロードキャスト送信し、第４無線装置は、第４色で発光するとともに、第４色信号をブロードキャスト送信する。ここで、遠距離無線通信システムと近距離無線通信システムとは異なるので、制御信号から送信される第１色信号と、第１無線装置から送信される第１色信号とは、異なったフォーマットを有する。しかしながら、いずれも、第１色に関する情報が含まれるので、第１色信号と呼ぶ。第２色情報から第４色情報についても同様である。
【００１５】
第１色信号を受信した発光装置は、第１色で発光する。その際、当該発光装置は、第１色信号の受信強度を測定し、受信強度が小さくなるほど第１色の発光輝度を小さくする。その結果、第１無線装置の周囲に配置される発光装置は、第１無線装置からの距離が遠くなるほど暗くなるように第１色で発光する。第２色信号を受信した発光装置、第３色信号を受信した発光装置、第４色信号を受信した発光装置も同様に発光する。発光装置の位置によっては、複数の無線装置のそれぞれから色信号を受信することもある。例えば、第１無線装置と第２無線装置との間に配置される発光装置は、第１色信号と第２色信号を受信しうる。その際、当該発光装置は、第１色信号から取得した第１色と、第２色信号から取得した第２色とを合成した色で発光する。このように、無線装置からの色信号を受信可能な範囲の発光装置が制御される。また、無線装置が移動した場合に、移動に追従して発光装置が制御される。例えば、目立たせたい対象の(人)物に無線装置を把持させる。対象(人)物が移動しても、容易に対象(人)物の周辺の発光装置が制御される。
【００１６】
図１は、発光システム１０００の構成を示す。発光システム１０００は、制御装置１００、無線装置２００と総称される第１無線装置２００ａ、第２無線装置２００ｂ、第３無線装置２００ｃ、第４無線装置２００ｄを含む。ここで、無線装置２００の数は「４」とされているが、「４」に限定されない。発光システム１０００は、例えば、コンサート会場のようなイベント会場に配置される。
【００１７】
制御装置１００は、演出者が操作可能なインターフェイスを有し、当該インターフェイスを介して、各無線装置２００を発光させる色に関する情報を受けつける。各無線装置２００を発光させる色に関する情報の一例は、前述のごとく、第１無線装置２００ａを発光させる第１色に関する情報である。第１色は、例えば、赤色、緑色、青色のうちの１つに相当したり、これらのうちの２つ以上を組み合わせた色に相当したりする。そのため、第１色に関する情報は、赤色、緑色、青色のうちの少なくとも１つが含まれていることを示す。例えば、第１色に関する情報は、赤色、緑色、青色のそれぞれの発光輝度のレベルを示す。第２無線装置２００ｂに対する第２色に関する情報、第３無線装置２００ｃに対する第３色に関する情報、第４無線装置２００ｄに対する第４色に関する情報も同様に示される。
【００１８】
制御装置１００は、第１色に関する情報が含まれるように第１色信号を生成し、第２色に関する情報が含まれるように第２色信号を生成し、第３色に関する情報が含まれるように第３色信号を生成し、第４色に関する情報が含まれるように第４色信号を生成する。第１色信号から第４色信号のフォーマットは、共通であり、かつ予め定められる。制御装置１００は、遠距離無線通信システムに対応する。遠距離無線通信システムには公知の技術が使用されればよく、例えば、携帯電話システムである。制御装置１００は、第１無線装置２００ａに第１色信号をユニキャスト送信し、第２無線装置２００ｂに第２色信号をユニキャスト送信し、第３無線装置２００ｃに第３色信号をユニキャスト送信し、第４無線装置２００ｄに第４色信号をユニキャスト送信する。このように制御装置１００は、色信号をユニキャスト送信することによって、各無線装置２００を遠隔から制御する。
【００１９】
第１無線装置２００ａは、遠距離無線通信システムに対応するとともに、近距離無線通信システムにも対応する。近距離無線通信システムは、遠距離無線通信システムよりも伝送距離が短くなるように規定されたシステムであり、例えば、Ｂｌｕｅｔｏｏｔｈ（登録商標）である。第２無線装置２００ｂから第４無線装置２００ｄも第１無線装置２００ａと同様である。遠距離無線通信システムにより、第１無線装置２００ａは第１色信号を受信し、第２無線装置２００ｂは第２色信号を受信し、第３無線装置２００ｃは第３色信号を受信し、第４無線装置２００ｄは第４色信号を受信する。
【００２０】
近距離無線通信システムにより、第１無線装置２００ａは第１色信号をブロードキャスト送信することによって、第１色に関する情報を転送する。同様に、第２無線装置２００ｂは第２色信号をブロードキャスト送信し、第３無線装置２００ｃは第３色信号をブロードキャスト送信し、第４無線装置２００ｄは第４色信号をブロードキャスト送信する。前述のごとく、遠距離無線通信システムにおける第１色信号と、近距離無線通信システムにおける第１色信号とは異なったフォーマットを有する。第２色信号から第４色信号についても同様である。図１において、第１無線装置２００ａから送信される第１色信号を受信可能な範囲、つまり第１無線装置２００ａにおける近距離無線通信システムの通信可能な範囲は、第１近距離無線通信エリア２１０ａと示される。第２近距離無線通信エリア２１０ｂから第４近距離無線通信エリア２１０ｄも同様に示され、これらは近距離無線通信エリア２１０と総称される。
【００２１】
図２は、発光システム１０００の別の構成を示す。これは、図１の第１無線装置２００ａと第２無線装置２００ｂの近傍を拡大した構成に相当する。発光システム１０００は、第１無線装置２００ａ、第２無線装置２００ｂ、発光装置３００と総称される第１発光装置３００ａ、第２発光装置３００ｂ、第３発光装置３００ｃ、第４発光装置３００ｄ、第５発光装置３００ｅを含む。ここで、発光装置３００の数は「５」とされているが、「５」に限定されない。発光装置３００は、前述のごとく、例えば、ペンライトであり、観客に把持される。
【００２２】
第１近距離無線通信エリア２１０ａ内には第１発光装置３００ａ、第２発光装置３００ｂ、第５発光装置３００ｅが存在する。第１発光装置３００ａ、第２発光装置３００ｂは、第１無線装置２００ａからの第１色信号を受信する。これらは、受信した第１色信号によって示される第１色で発光する。しかしながら、第１無線装置２００ａと第２発光装置３００ｂとの距離は、第１無線装置２００ａと第１発光装置３００ａとの距離よりも長くなっており、第２発光装置３００ｂは、第１発光装置３００ａよりも暗く発光する。
【００２３】
また、第２近距離無線通信エリア２１０ｂ内には第３発光装置３００ｃ、第４発光装置３００ｄ、第５発光装置３００ｅが存在する。第３発光装置３００ｃ、第４発光装置３００ｄは、第２無線装置２００ｂからの第２色信号を受信する。これらは、受信した第２色信号によって示される第２色で発光する。しかしながら、第２無線装置２００ｂと第４発光装置３００ｄとの距離は、第２無線装置２００ｂと第３発光装置３００ｃとの距離よりも長くなっており、第４発光装置３００ｄは、第３発光装置３００ｃよりも暗く発光する。
【００２４】
第５発光装置３００ｅは、第１無線装置２００ａからの第１色信号を受信するとともに、第２無線装置２００ｂからの第２色信号を受信する。第５発光装置３００ｅは、第１色信号によって示される第１色と、第２色信号によって示される第２色とを合成した色で発光する。その際、第１色の発光輝度は、第１無線装置２００ａと第５発光装置３００ｅとの距離に応じて決められ、第２色の発光輝度は、第２無線装置２００ｂと第５発光装置３００ｅとの距離に応じて決められる。
【００２５】
ここで、無線装置２００も発光装置３００と同様に発光する。第１無線装置２００ａは、第１色信号によって示される第１色で発光し、第２無線装置２００ｂは、第２色信号によって示される第２色で発光する。無線装置２００における発光輝度は、発光装置３００における発光輝度よりも高くされる。例えば、無線装置２００は、予め設定された発光輝度で発光してもよいし、第１色信号等に含まれる発光輝度の情報に応じた発光輝度で発光してもよい。これによって、明るく発光する無線装置２００の周囲に、無線装置２００から遠くなるほど暗く発光する発光装置３００が配置される。また、複数の無線装置２００の間には、これらの発光色が合成された色で発光する発光装置３００が配置される。さらに、無線装置２００も発光装置３００と同様に観客に把持され移動可能であるので、無線装置２００の移動により発光・発色の中心が移動したり、発光装置３００の移動により発光輝度や、発光装置３００の密度が変化して全体の明度が変化したりする。
【００２６】
図３は、発光装置３００の構成を示す。発光装置３００は、受信部３１０、測定部３１２、制御部３１４、記憶部３１６、発光部３１８を含む。受信部３１０は、近距離無線通信システムに対応し、無線装置２００からの色信号を受信する。例えば、受信部３１０は、発光すべき第１色が示される第１色信号を第１無線装置２００ａから受信する。また、受信部３１０は、第１無線装置２００ａとは異なった第２無線装置２００ｂから、発光すべき第２色が示される第２色信号を受信してもよい。図１の第５発光装置３００ｅにおける受信部３１０は、第１色信号と第２色信号とを受信する。
【００２７】
図４（ａ）−（ｅ）は、発光装置３００において受信される信号のフォーマットを示す。この信号は、近距離無線通信システムの１つであるＢｌｕｅｔｏｏｔｈ（登録商標）、特にＢｌｕｅｔｏｏｔｈ（登録商標）の低消費電力モードであるＢｌｕｅｔｏｏｔｈ  Ｌｏｗ  Ｅｎｅｒｇｙ（以下、「ＢＬＥ」という）において規定される。さらに具体的に説明すると、この信号は、ＢＬＥの１対Ｎ間通信であるアドバタイジング・ブロードキャスト通信において使用され、前述の第１色信号から第４色信号に相当する。ＢＬＥは公知の技術であるので、ここでは詳細は省略するが、送信側である無線装置２００はアドバタイザ（Ａｄｖｅｒｔｉｓｅｒ）となり、受信側の発光装置３００がスキャナ（Ｓｃａｎｎｅｒ）となる。ＢＬＥの通信電波は複数のアドバタイズメントチャネルと複数のデータチャネルにより構成され、ブロードキャスト通信ではアドバタイズメントチャネルが使用される。
【００２８】
図４（ａ）は、アドバタイザから定期的に送信されるアドバタイジング・パケット（Ａｄｖｅｒｔｉｓｉｎｇ  Ｐａｃｋｅｔ）の階層構造を示す。図示のごとく、プリアンブル、アクセスアドレス、プロトコルデータユニット（ＰＤＵ）、ＣＲＣ（Ｃｙｃｌｉｃ  Ｒｅｄｕｎｄａｎｃｙ  Ｃｈｅｃｋ）が順に配置される。図４（ｂ）は、アドバタイジングチャネルＰＤＵの構造を示し、ヘッダ、ペイロードが順に配置される。図４（ｃ）は、ＰＤＵペイロードの構造を示し、ＡｄｖＡ、ＡｄｖＡデータが順に配置される。図４（ｄ）は、アドバタイザズデータを示し、レングス、データが順に配置される。このデータが、前述の発光に関する情報を示す。
【００２９】
図４（ｅ）は、発光に関する情報の構造を示す。リピータＩＤ、赤色、緑色、青色、送信電力が順に配置される。リピータＩＤは、無線装置２００を識別するための識別番号を示す。赤色は、赤色に発光する場合の発光輝度のレベルを示し、緑色は、緑色に発光する場合の発光輝度のレベルを示し、青色は、青色に発光する場合の発光輝度のレベルを示す。これらのレベルは、例えば、８ｂｉｔのデジタル値で表現され、整数０〜２５５のいずれかを示す。送信電力は、ＢＬＥでの送信電界強度を示す。図３に戻る。受信部３１０は、色信号を受信すると、リピータＩＤを抽出する。これは、色信号を送信した無線装置２００を特定することに相当する。また、受信部３１０は、赤色、緑色、青色の各数値を特定する。以下では、赤色の数値を「Ｒレベル」と呼び、緑色の数値を「Ｇレベル」と呼び、青色の数値を「Ｂレベル」と呼ぶ。
【００３０】
測定部３１２は、各色信号に対する受信電界強度を測定する。また、測定部３１２は、送信電界強度を受信部３１０から受けつける。さらに、測定部３１２は、送信電界強度に対する受信電界強度の比を減衰量として導出する。導出した減衰量が、受信部３１０において受信した第１色信号の減衰の程度に相当する。他の色信号に対しても同様である。測定部３１２は、減衰量をもとに、送信元になる無線装置２００と発光装置３００の距離を導出してもよい。距離の導出には公知の技術が使用されればよいので、ここでは、説明を省略する。
【００３１】
制御部３１４は、受信部３１０において抽出した［１］リピータＩＤを取得するとともに、色信号を受信した時刻を［２］受信時刻として取得する。また、制御部３１４は、［３］Ｒレベル×減衰係数、［４］Ｇレベル×減衰係数、［５］Ｂレベル×減衰係数を導出する。ここで、減衰係数は、例えば、０〜１の数値で示され、減衰量が大きくなるほど「０」に近くなり、減衰量が小さくなるほど「１」に近くなるように示される。さらに、制御部３１４は、［１］リピータＩＤ、［２］受信時刻、［３］Ｒレベル×減衰係数、［４］Ｇレベル×減衰係数、［５］Ｂレベル×減衰係数をまとめて１つの受信情報リストとする。制御部３１４は、受信情報リストの［１］リピータＩＤと同一のリピータＩＤを含む受信情報リストが記憶部３１６に記憶されているかを検査する。同一のリピータＩＤを含む受信情報リストが発見されなかった場合、制御部３１４は、生成した受信情報リストを記憶部３１６に追加登録する。一方、同一のリピータＩＤを含む受信情報リストが発見された場合、制御部３１４は、生成した受信情報リストにより、発見された受信情報リストを上書更新する。
【００３２】
図５は、記憶部３１６に記憶される受信情報リストのデータ構造を示す。記憶部３１６は、制御部３１４において生成された受信情報リストであって、かつ所定の無線装置２００に対する受信情報リストをエントリ１に記憶する。また、記憶部３１６は、所定の無線装置２００とは別の無線装置２００に対する受信情報リストをエントリ２に記憶する。以降、色信号の送信元になる無線装置２００の数が増えると、当該無線装置２００に対する受信情報リストが新たなエントリに記憶される。ここで、受信情報リスト中の［２］受信時刻が一定期間よりも過去になると、当該［２］受信時刻を含む受信情報リストが削除される。その際、残った受信情報リストが繰り上げられてエントリに記憶される。図３に戻る。
【００３３】
制御部３１４は、記憶部３１６に記憶されている全ての受信情報リストを抽出し、［３］Ｒレベル×減衰係数の平均値、［４］Ｇレベル×減衰係数の平均値、［５］Ｂレベル×減衰係数の平均値を導出する。このような平均値を導出する処理は、複数の無線装置２００から色信号を受信している場合に、複数の色信号のそれぞれに含まれた色を混合する処理に相当する。また、制御部３１４は、各平均値に補正値を加算する。その結果、制御部３１４は、Ｒレベルに対する平均値＋補正値Ｒ、Ｇレベルに対する平均値＋補正値Ｇ、Ｂレベルに対する平均値＋補正値Ｂ（以下、これらを「制御値」ということもある）を発光部３１８に設定する。これは、各色に対する発光輝度をセットすることに相当する。ここで、補正値Ｒ、補正値Ｇ、補正値ＢはＲＧＢ各色の発光ダイオードの光電変換効率の違いを補正するための値である。補正値Ｒ、補正値Ｇ、補正値Ｂを加算することによって、より正確な発色をなすための補正（レベルに応じた係数およびオフセット）がなされる。
【００３４】
このように、制御部３１４は、近距離無線通信システムにより無線装置２００から受信した色信号に含まれた色を、色信号の減衰量に応じて変化させて、発光輝度を決定する。また、複数の無線装置２００からの色信号を受信した場合に、制御部３１４は、各色信号に含まれた色と、各色信号の減衰量とを組み合わせて発光輝度、色相、彩度を決定する。
【００３５】
発光部３１８は、制御部３１４によって設定された制御値に応じて発光する。図６は、発光部３１８の構成を示す。発光部３１８は、入力端子３２０と総称される第１入力端子３２０ａ、第２入力端子３２０ｂ、第３入力端子３２０ｃ、ＰＷＭ（Ｐｕｌｓｅ  Ｗｉｄｔｈ  Ｍｏｄｕｌａｔｉｏｎ）回路３３０と総称される第１ＰＷＭ回路３３０ａ、第２ＰＷＭ回路３３０ｂ、第３ＰＷＭ回路３３０ｃ、発光ダイオード３３２と総称される第１発光ダイオード３３２ａ、第２発光ダイオード３３２ｂ、第３発光ダイオード３３２ｃを含む。入力端子３２０は、図３の制御部３１４に接続される。
【００３６】
第１入力端子３２０ａには赤色の制御値が入力される。赤色の制御値は、デジタル値によって赤色の発光輝度を示し、他の制御値も同様である。第１ＰＷＭ回路３３０ａは、第１入力端子３２０ａに入力された制御値を受けつけ、制御値のデジタル値が大きくなるほど密になるパルス幅に変調し、変調した結果をパルス信号として出力する。第１発光ダイオード３３２ａは、第１ＰＷＭ回路３３０ａからのパルス信号を受けつけ、光電変換により発光する。このとき、パルス信号のパルス幅が密になるほど明るく発光するので、第１入力端子３２０ａに入力されたデジタル値に応じて発光輝度が変化する。
【００３７】
第２入力端子３２０ｂには緑色の制御値が入力される。第２ＰＷＭ回路３３０ｂ、第２発光ダイオード３３２ｂは、第１ＰＷＭ回路３３０ａ、第１発光ダイオード３３２ａと同様の処理を実行する。また、第３入力端子３２０ｃには青色の制御値が入力される。第３ＰＷＭ回路３３０ｃ、第３発光ダイオード３３２ｃは、第１ＰＷＭ回路３３０ａ、第１発光ダイオード３３２ａと同様の処理を実行する。ここでは、ＰＷＭ回路３３０と発光ダイオード３３２による構成を示しているが、発光部３１８はこれに限定されるものではなく発光・発色を制御できれば他の構成であってもよい。
【００３８】
さらにいえば、本実施例では全ての受信情報リストの赤色、緑色、青色の減衰量の平均値を求め発光輝度を決定する方法を示したが、各々の受信情報リストの赤色、緑色、青色の減衰量に応じた発光輝度を時分割で発光させ見かけの発光輝度を合成する方法も可能である。
【００３９】
つまり、発光部３１８は、受信部３１０において受信した第１色信号によって示される第１色で発光する。また、発光部３１８は、受信部３１０において受信した第２色信号によって示される第２色と、第１色とを合成した色で発光することもある。その際、発光部３１８は、第１色信号の減衰量をもとに第１色の発光輝度を調節するとともに、第２色信号の減衰量をもとに第２色の発光輝度を調節し、調節した発光輝度の第１色と、調節した発光輝度の第２色とを合成した色で発光する。具体的に説明すると、発光部３１８は、第１色信号の減衰量が大きくなると、第１色の発光輝度を小さくし、第２色信号の減衰量が大きくなると、第２色の発光輝度を小さくする。
【００４０】
次に、無線装置２００との間で近距離無線通信システムによる通信ができない通信圏外、つまり無線装置２００から色信号が受信できない通信圏外に、発光装置３００が移動した場合における発光装置３００が発光を停止する処理を説明する。制御部３１４は、記憶部３１６に記憶されている全ての受信情報リストの［２］受信時刻を検査する。発光装置３００が無線装置２００の通信圏内に存在する場合、受信時刻が定期的に更新されるが、発光装置３００が無線装置２００の通信圏外に存在する場合、受信時刻の更新がなされなくなる。そこで、制御部３１４は、規定時間よりも古い時刻の受信情報リストを消去することによって、発光部３１８の発光を停止させる。
【００４１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４２】
以上の構成による発光システム１０００の動作を説明する。図７は、無線装置２００によるブロードキャスト送信手順を示すフローチャートである。無線装置２００は、遠距離通信システムにより色信号を受信開始しなければ（Ｓ１０のＮ）、待機する。一方、無線装置２００は、遠距離通信システムにより色信号を受信開始すれば（Ｓ１０のＹ）、近距離通信システムによる色信号のブロードキャスト送信を開始する（Ｓ１２）。無線装置２００は、遠距離通信システムによる色信号を受信を停止しなければ（Ｓ１４のＮ）、処理を継続する。無線装置２００は、遠距離通信システムによる色信号を受信を停止すれば（Ｓ１４のＹ）、近距離通信システムによる色信号のブロードキャスト送信を停止する（Ｓ１６）。
【００４３】
図８は、発光装置３００による発光手順を示すフローチャートである。受信部３１０が第１色信号を受信せず（Ｓ３０のＮ）、第２色信号を受信しない場合（Ｓ３２のＮ）、発光部３１８は発光を停止し（Ｓ３４）、ステップ３０に戻る。受信部３１０が第１色信号を受信する場合（Ｓ３０のＹ）、あるいは第２色信号を受信する場合（Ｓ３２のＹ）、測定部３１２は、第１色信号の受信電界強度を測定し（Ｓ３６）、第２色信号の受信電界強度を測定する（Ｓ３８）。制御部３１４は、第１色と第２色とを合成する（Ｓ４０）。発光部３１８は、合成した色により発光する（Ｓ４２）。ステップ３０に戻る。
【００４４】
図９は、発光装置３００による受信情報リストの処理手順を示すフローチャートである。制御部３１４は、受信情報リストを生成する（Ｓ６０）。同じリピータＩＤの受信情報リストが記憶部３１６に記憶されている場合（Ｓ６２のＹ）、制御部３１４は、同じリピータＩＤの受信情報リストを更新する（Ｓ６４）。同じリピータＩＤの受信情報リストが記憶部３１６に記憶されていない場合（Ｓ６２のＮ）、制御部３１４は、受信情報リストを登録する（Ｓ６６）。
【００４５】
図１０は、発光装置３００による算出手順を示すフローチャートである。制御部３１４は、各色に対する値の平均値を導出する（Ｓ８０）。制御部３１４は、平均値に補正値を加算することによって制御値を導出する（Ｓ８２）。
【００４６】
本実施例によれば、第１無線装置からの第１色信号によって示される第１色と、第２無線装置からの第２色信号によって示される第２色とを合成した色で発光するので、第１色信号あるいは第２色信号を変えるだけで発光の色を変えることができる。また、第１色信号あるいは第２色信号を変えるだけで発光の色が変わるので、自由度の高い発光を実現するための制御を簡易にできる。また、第１色信号の減衰量をもとに発光輝度を調節した第１色と、第２色信号の減衰量をもとに発光輝度を調節した第２色とを合成した色で発光するので、合成した色の発光輝度を簡易に制御できる。また、第１色と第２色とを合成するとともに、減衰量をもとに発光輝度を調節するので、制御装置の処理負荷を軽減できる。また、第１色と第２色とを合成するとともに、減衰量をもとに発光輝度を調節するので、演出の幅を拡大できる。
【００４７】
また、第１色信号と第２色信号とをもとに制御するので、無線装置を所持する人物が移動しても、発光装置の制御を追従させることできる。また、出演者が無線装置を持ち、観客が発光装置を把持したイベントにおいて、出演者がステージ上を動き回ると、出演者と観客の距離に応じて色の濃淡が変化するので、イベントにおける出演者と観客との一体感を高めることができる。また、第１色信号の減衰量が大きくなると、第１色の発光輝度を小さくし、第２色信号の減衰量が大きくなると、第２色の発光輝度を小さくするので、受信電界強度に応じて、発光の色の濃淡を変えることができる。
【００４８】
また、発光装置の発光・発色の指示を制御装置から無線装置にのみ与えるので、求められる表現に合わせて制御装置の負荷が変更されるので、制御の複雑度と表現の自由度のバランスを取ることができる。さらに、発光装置も発光・発色パターンを記憶するなど特別な機能を有する必要がなくなりコストの低減も図られる。また、制御装置、無線装置、発光装置が階層化されるので、制御装置から発信される色信号により外部制御される機器の数を削減できる。
【００４９】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５０】
本実施例における各無線装置２００の送信出力を変化させることにより、発光装置３００の受信部３１０において受信する色信号の受信強度を変化させてもよい。本変形例によれば、発光装置３００において発光される色をさらに詳細に調節できる。
【符号の説明】
【００５１】
１００  制御装置、  ２００  無線装置、  ３００  発光装置、  ３１０  受信部、  ３１２  測定部、  ３１４  制御部、  ３１６  記憶部、  ３１８  発光部、  ３２０  入力端子、  ３３０  ＰＷＭ回路、  ３３２  発光ダイオード、  １０００  発光システム。
【図１】
2020035529.tif 000003
【図２】
2020035529.tif 000004
【図３】
2020035529.tif 000005
【図４】
2020035529.tif 000006
【図５】
2020035529.tif 000007
【図６】
2020035529.tif 000008
【図７】
2020035529.tif 000009
【図８】
2020035529.tif 000010
【図９】
2020035529.tif 000011
【図１０】
2020035529.tif 000012